(57)【要約】【目的】左右に傾斜する屋根に梯子を立掛ける場合に、この梯子が左右にすべって転倒することを防止する。【構成】本体部材２をその４隅に設けた係止手段２１によって、梯子４の両脚４１に固定する。本体部材２の中央位置に、回転軸３１を介して押圧部材３を回転自在に取付ける。梯子４に人が登ると回転軸３１に下方荷重が掛かるため、屋根５の傾斜が相違しても、常に押圧部材３の下面が全長に渡って屋根５の表面５１を押圧する。したがって両者に大きな摩擦力が生じ、梯子４が左右方向に倒れることを防止できる。【選択図】図１
0003121473.tif 000002
【実用新案登録請求の範囲】
【請求項１】
梯子の裏面に装着する本体部材と、この本体部材の裏面に回転自在に設けた押圧部材とを備え、
上記本体部材は、上記梯子の任意の高さ位置において、この梯子の両脚に係止自在な係止手段を有し、
上記押圧部材の回転中心は、上記梯子の両脚の中間位置近傍にあって、この押圧部材の回転面は、この梯子の裏面に平行であり、
上記押圧部材の下面は、上記回転中心の両側において、傾斜する被押圧面にそれぞれ当接する当接部分を有している
ことを特徴とする梯子滑り防止具。
【請求項２】
請求項１において、上記押圧部材の裏面は、上記回転中心の両側において、ほぼ垂直な被押圧面にそれぞれ当接する当接部分を有している
ことを特徴とする梯子滑り防止具。
【請求項３】
請求項１または２において、上記当接部分は、滑り防止部材を備えている
ことを特徴とする梯子滑り防止具。
【請求項４】
請求項１乃至３のいずれかの１において、上記本体部材と押圧部材との間には、この押圧部材の回転を摩擦力によって抑制する回転抑制手段が設けてある
ことを特徴とする梯子滑り防止具。
【請求項５】
請求項１乃至４のいずれかの１において、上記押圧部材の両端部には、それぞれこの押圧部材の裏面から突出するフック部材が着脱自在に設けてある
ことを特徴とする梯子滑り防止具。
【請求項６】
請求項５において、上記フック部材は、弾性部材で覆われている
ことを特徴とする梯子滑り防止具。
【請求項７】
請求項１乃至６のいずれかの１に記載の梯子滑り防止具を備えることを特徴とする滑り防止具付き梯子。
【考案の詳細な説明】
【技術分野】
【０００１】
本考案は、例えば家屋の横側から左右に傾斜する屋根に梯子を立掛ける場合に、この梯子が左右にすべって倒れることを防止する梯子滑り防止具、及び滑り防止具付き梯子に関する。
【背景技術】
【０００２】
梯子は、高所に登る簡易な手段として、古くから広く使用されてきた。現在では、伝統的な木製の梯子に替わって、アルミ製のものが主流を占め、中間部で折畳むと脚立になるもの、あるいは二重梯子を相互にスライド可能にして延長できるもの等、さまざまな形や長さのものが市販されている。
【０００３】
しかるに、梯子の基本形態はいずれも共通しており、数ｍ〜１０数ｍの縦長の脚部材を２本、数１０ｃｍの間隔で平行に並べ、両者の間に数１０ｃｍの間隔で、横部材からなるステップを取り付けたものになっている。そして、いずれの梯子も、地面等に両脚の先端を置いて、屋根や立ち木の枝等の高所に、浅い角度で立掛けて使用する。
【０００４】
ところが柔らかい地面等では、梯子に登って重量が加わると、両脚の先端の一方が沈み込んで、梯子が左または右に傾き、ときには転倒して思わぬ事故になる場合も多い。そこでこのような梯子の転倒を防止するために、梯子の両脚の先端に平板等を取り付け、接地面積を広くして沈みを防止するものがある。
【０００５】
しかるに梯子の幅は、上述したように高々数１０ｃｍと狭いため、梯子が長くなるに従って左右方向に傾き易くなる。特に人が上に登るにしたがって重心位置が高くなり、より左右方向の安定が悪くなる。そこで梯子の上部に滑り防止具を取り付け、この滑り防止具を屋根の上面に載せて、両者の摩擦力によって、梯子が左右方向に傾くことを防止する手段が提案されている（例えば特許文献１参照。）。
【０００６】
この滑り防止具は、梯子の両脚の上部に、それぞれ棒状の支持体を突設し、この支持体の先端部分に、棒状の押圧体を回転自在に取り付けたものになっている。すなわちこの滑り防止具を取り付けた梯子を、この押圧体が屋根等の上面に接触するようにして立て掛け、人が登って荷重が加わると、この押圧体が屋根等の上面を押圧し、両者の摩擦力によって、梯子が左右方向等に傾くことを防止するものである。
【特許文献１】特開平９−１３２９９０号公報（１〜４頁、図１、図４）
【考案の開示】
【考案が解決しようとする課題】
【０００７】
しかるに上述した特許文献１の技術には、次の改良すべき問題があった。すなわちこの特許文献１に記載の滑り防止具は、その添付図１に示されているように、左右の支持体１５は、梯子の両脚の同じ高さ位置に、固定軸１６を介して固定されているため、これらの支持体の先端に取りつけてある左右の押圧体２０は、互いに同じ高さ位置にある屋根の表面に接触させるものになっている。すなわち家屋等の正面から、屋根に梯子を立掛ける場合の滑りを防止することを意図している。なお同添付図４には、左右の支持体６５は、ボルト６１、６２によって、一見それぞれ高さが異なって取り付けられているように見えるが、少なくとも左右の支持体６５を、任意の高低差をつけて取付けることはできない構成になっている。
【０００８】
したがって、上記図１に示されている滑り防止具付きの梯子を、家屋等の横側から傾斜する屋根に立掛けると、梯子の両脚が屋根の端部に接する高さは、左右で異なってしまうため、左右の押圧体２０の一方は、傾斜する屋根の上面から浮いてしまい、その方向に梯子が倒れ易くなってしまう。また仮に同添付図４に示されている滑り防止具付きの梯子を使用するとしても、左右の支持体６５の高低差が固定されているため、屋根の傾斜度が異なれば、左右の押圧体２０の一方は、屋根の上面から浮いてしまう。すなわち特許文献１記載の滑り防止具は、いずれにせよ、家屋等の横側から傾斜する屋根に立掛ける場合には、左右方向への滑りを防止できない。
【０００９】
そこで本考案の第１の目的は、家屋等の横側から、左右に傾斜する屋根に梯子を立掛ける場合に、この屋根の傾斜度の相違にかかわらず、この梯子が左右にすべって転倒することを防止できる、梯子滑り防止具、及び滑り防止具付き梯子を提供することにある。また第２の目的は、立木の枝等の傾斜する棒状部材に梯子を立掛ける場合に、その棒状部材の傾斜度の相違にかかわらず、この梯子が左右および前後にすべって転倒することを防止できる、梯子滑り防止具、及び滑り防止具付き梯子を提供することにある。
【課題を解決するための手段】
【００１０】
上述した課題を解決すべく、本考案による梯子滑り防止具、及び滑り防止具付き梯子の特徴は、第１に、梯子の任意の高さ位置において、この梯子の両脚に係止自在な本体部材を備えていることにある。これによって、立掛ける屋根の高さに応じて、本体部材の取り付け高さを容易に変更することができる。第２に、本体部材には、押圧部材が回転自在に設けてあることにある。これによって、屋根等の傾斜度が相違しても、押圧部材が屋根等の上面に沿って回転し、この押圧部材の下面を容易に屋根等の上面に当接させることができる。
【００１１】
第３に、押圧部材の回転中心を梯子の両脚の中間位置近傍に設け、その回転中心の両側において、この押圧部材の下面に、それぞれ当接部分を設けたことにある。これによって、後述するように、人が登ったときの下方向き荷重が、常に押圧部材の回転中心を挟んだ両側に掛かるようにできるので、左右方向への滑りを確実に防止することができる。
【００１２】
すなわち本考案による梯子滑り防止具、及び滑り防止具付き梯子は、梯子の裏面に装着する本体部材と、この本体部材の裏面に回転自在に設けた押圧部材とを備え、上記本体部材は、上記梯子の任意の高さ位置において、この梯子の両脚に係止自在な係止手段を有している。また上記押圧部材の回転中心は、上記梯子の両脚の中間位置近傍にあって、この押圧部材の回転面は、この梯子の裏面と平行であり、上記押圧部材の下面は、上記回転中心の両側において、傾斜する被押圧面にそれぞれ当接する当接部分を有している。
【００１３】
ここで上記押圧部材の裏面は、上記回転中心の両側において、ほぼ垂直な被押圧面にそれぞれ当接する当接部分を有していることが望ましい。これによって、屋根等の端面が凸凹して、梯子の両脚の一方が、この屋根等の端面に接触させ難い場合には、この屋根の下の軒等の垂直な表面に、この押圧部材の裏面を当接させて、左右方向への滑りを防止させることができる。
【００１４】
また上記当接部分は、滑り防止部材を備えていることが望ましい。これによって、被押圧面との摩擦力を増加させて、より効果的に左右方向への滑りを防止させることができる。
【００１５】
ところで梯子を屋根に立掛ける際に、例えば押圧部材が垂直位置に回転してしまうと、この押圧部材を屋根等の傾斜面上に当接させることが困難になる。そこで上記本体部材と押圧部材との間には、この押圧部材の回転を摩擦力によって抑制する回転抑制手段を設けておくことが望ましい。これにより予め押圧部材を屋根等の傾斜角度に合せた状態で保持することができるので、この押圧部材を屋根等の傾斜面上に、より容易に当接させることができる。
【００１６】
上記押圧部材の両端部には、それぞれこの押圧部材の裏面から突出するフック部材が着脱自在に設けてあることが望ましい。これにより立木の枝等の傾斜する棒状部材に梯子を立掛ける場合に、この棒状部材の傾斜度の相違にかかわらず、左右両方のフック部材を立木の枝等に引っ掛けることができるため、梯子が左右または前後方向にすべって転倒することを防止できる。またフック部材は着脱自在であるため、屋根に立掛ける等の不要な場合には、容易に取り外すことができる。さらに上記フック部材は、弾性部材で覆われていることがより望ましい。立木の枝等の傾斜する棒状部材との摩擦力が増加すると共に、この立木の枝等へ損傷を与えることを防止できる。
【００１７】
また上記梯子滑り防止具を備えた滑り防止具付き梯子を、容易に構成することもできる。
【００１８】
ここで「梯子」とは、上述したように２本の縦長の脚部材に間に、横材からなるステップを、所定の間隔で取付けたものを意味し、その形状、長さ、及び材質を問わない。また上述したように、中間部で折畳むと脚立になるもの、あるいは二重梯子を相互にスライド可能にして、延長できるもの等も含む。「裏面」とは、人が登る梯子の面と反対側の面を意味する。「本体部材」及び「押圧部材」は、ここで定義されている他は、いずれもその形状や材質は問わない。
【００１９】
「係止自在」とは、本体部材を、梯子の両脚に一時的に固定したり、この固定を解除したりすることができることを意味する。「係止手段」とは、例えば、ねじまたはカム等によって、挟持部材を梯子の両脚面に押圧させるもの、梯子の両脚面に所定のピッチ間隔で設けた孔に、ノックピンやボルト等を挿入等するものが該当する。「滑り防止部材」とは、ゴム材等の材料自体の表面摩擦抵抗が大きいもの、又は表面を粗面化若しくは表面に突起部を設けた金属や合成樹脂等が該当する。
【００２０】
「フック部材」とは、立木の枝等の棒状部材に、上方から引っ掛けることができる、先端部が下方に曲がった鉤状の部材を意味し、例えばＬ字形状のものや円弧形状のものが該当する。また「弾性部材で覆われている」とは、ゴムや合成樹脂等からなるカバーを装着する場合の他、これらの部材を被覆材として積層する場合等を含む。
【考案の効果】
【００２１】
第１に、本体部材を、梯子の両脚に係止自在にすることによって、立掛ける屋根の高さに応じて、本体部材の取り付け高さを容易に変更することができる。第２に、押圧部材を、本体部材に回転自在に設けることによって、傾斜度が相違しても、押圧部材の下面を屋根等の上面に沿って容易に当接させることができる。
第３に、押圧部材の回転中心を梯子の両脚の中間位置近傍に設け、その回転中心の両側において、この押圧部材の下面に、それぞれ当接部分を設けることによって、常にこの押圧部材の回転中心の両側を屋根等の上面に当接させることができため、左右方向への滑りを確実に防止することができる。
【００２２】
また押圧部材の裏面に、上記回転中心の両側において、ほぼ垂直な被押圧面にそれぞれ当接する当接部分を設けることによって、屋根の下の軒等の垂直な表面に、この押圧部材の裏面を当接させて、左右方向への滑りを防止させることができる。さらに上記当接部分に、滑り防止部材を備えることによって、より効果的に左右方向への滑りを防止させることができる。また本体部材と押圧部材との間に、回転抑制手段を設けることによって、この押圧部材を屋根等の傾斜面上に、より容易に当接させることができる。
【００２３】
押圧部材の両端部の裏面にフック部材を着脱自在に設けることによって、立木の枝等の傾斜する棒状部材に梯子を立掛ける場合に、その棒状部材の傾斜度の相違にかかわらず、この梯子が左右または前後方向にすべって転倒することを防止できる。さらに上記フック部材を、弾性部材で覆うことによって、立木の枝等の傾斜する棒状部材との摩擦力が増加すると共に、この立木の枝等へ損傷を与えることを防止できる。
【考案を実施するための最良の形態】
【００２４】
まず最初に図１〜図２を参照しつつ、本考案による梯子滑り防止具の構成と作用とを概説する。図１は、右下方向に傾斜する屋根５に、家屋の横側から梯子４を立掛けた状態を示しており、この梯子の上部に、本発明による梯子滑り防止具１が取付けてある。梯子滑り防止具１は、梯子４の裏面に装着する本体部材２と、この本体部材の裏面に回転自在に設けた押圧部材３とを備えている。
【００２５】
本体部材２は、厚さ４．５ｍｍのアルミ製の矩形平板からなり、梯子４の幅よりやや大きい横幅と、この梯子のステップ４２の間隔よりやや小さい高さに形成してある。また本体部材２は、その４隅部分にそれぞれ係止手段２１を有しており、この係止手段によって、この本体部材を梯子４の左右の脚４１に固定する。一方押圧部材３は、アルミの板金製であって、矩形断面の中空管からなる。押圧部材３は、本体部材２の中央部位置にある回転軸３１を中心として、この本体部材の裏面と摺動しつつ回転自在に取付けられている。なお本体部材２および押圧部材３は、例えば鉄、ステンレス等の他の金属を使用してもよい。
【００２６】
図２は、図１に示した梯子４等を建物の正面から見た場合を示している。すなわち梯子４を、建物の横側から手前下方に傾斜する屋根５の端部に立掛けて、この梯子の下部を左方向に引くと、押圧部材３は、回転軸３１を中心として回転し、この押圧部材の下面の全長が、この屋根の上面５１に当接する。したがって、人が梯子４に登ってこの梯子に下方向の荷重が掛かると、押圧部材３の下面が屋根５の上面５１に押付けられ、両者の摩擦力によって、この梯子が手前方向に滑り落ちることを防止できる。
【００２７】
なお本考案の特徴の１つは、押圧部材３は、屋根５の上面５１に当接させた後も、回転自在であって、特にこの回転を固定しないことである。すなわち図３に示すように、梯子４に人が登ると、その体重等の下向き荷重Ｗは、この梯子の中央位置にある回転軸３１に掛かる。この場合、仮に押圧部材３の右端部Ａが持ち上がろうとしても、この押圧部材は、下向き荷重Ｗによって、左端部Ｂを支点として時計方向に回転しようとし、結局、右端部Ａは浮き上がることはない。これは押圧部材３の左端部Ｂについても同様である。したがって押圧部材３の下面は、常に全長に渡って、傾斜する屋根５の上面５１に押付けられ、両者の摩擦力が確保される。
【００２８】
これとは逆に、何らかの手段を用いて、押圧部材３の回転を固定するようにすると、例えば図３に示すように、この押圧部材の右端部Ａが浮き上がった状態で、
固定してしまう場合もありうる。このような場合には、押圧部材３の左端部Ｂだけが屋根５の上面５１に接触することになって、十分な摩擦力が得られない。それに加えて押圧部材３は、回転軸３１に掛かる下向き荷重Ｗによって、その左端部Ｂを支点として、時計方向に回転しようとし、その結果この梯子の上部は、右方向に倒れる力が生じてしまう。したがって、何らかの手段を用いて押圧部材３の回転を固定するようにすると、かえって梯子４の安定性が低下してしまう。
【００２９】
さて次に、上述した梯子滑り防止具の構成と作用との詳細について、図４〜図１０を参照しつつ説明する。図４は、梯子滑り防止具１について、押圧部材３の回転軸３１を含む水平断面を示す。本体部材２は、中央部分に貫通穴２ａを有し、この穴に挿入される回転軸３１によって、押圧部材３が回転自在に設けられている。本体部材２の左右端は、この本体部材の剛性を高めるために、手前方向に屈成したリム部２ｂが形成してある。また本体部材２の４隅には、それぞれ梯子４の左右の脚４１に係止自在な係止手段２１が設けてある。
【００３０】
係止手段２１は、板状の挟持片２１ａと、この挟持片の裏面内側に溶接されたスペーサ２１ｂと、本体部材２から手前方向に、溶接にて突設された雄ねじ２１ｃと、この雄ねじ２１ｃに螺合する蝶型ナット２１ｄとから構成される。そして挟持片２１ａの裏面外側と本体部材２の表面との間に、コの字状の断面を有する梯子４の脚４１のリム部４１ａを挟んだ状態で、蝶型ナット２１ｄを締め付けることによって、この本体部材を梯子の任意の高さに固定する。なお雄ねじ２１ｃを通す、挟持片２１ａに設けた開口穴２１ｅは、左右方向の長穴に形成してあり、梯子４の両脚４１の幅が相違しても、本体部材２を固定できるようにしてある。
【００３１】
図５は、梯子１０４の両脚１４１の断面形状が外側に開口するコの字形状の場合の、本体部材１０２を固定する係止手段１２１を示している。なお図４に示すものと同様の部品や部位については、参照を容易にするために、図４に示す部品番号に一律１００を加えた部品番号にしてある。
【００３２】
次に図６及び図７を参照しつつ、押圧部材３について説明する。押圧部材３は、矩形断面の筒状部材３２であって、厚さ２ｍｍのアルミ材からなる板金製である。筒状部材３２の長さは、本体部材２の横幅よりやや大きめにしてあり、その中央部の表裏面には、それぞれ開口穴３２ａが開口している。押圧部材３は、開口穴３２ａに挿入された回転軸３１によって、本体部材２の裏面に回転自在に取付けられる。すなわち回転軸３１は、一端部に抜け止め用のフランジ部３１ｂを形成し、他端部に雄ねじ部を形成した円柱軸３１ａからなり、この雄ねじ部を本体部材２の中央部に設けた開口穴２ａに挿入し、セルフロッキング・ナット３１ｃによって、本体部材２の裏面に、押圧部材３を回転自在に取付ける。なお押圧部材３の内側には、円柱軸３１ａの廻りに中空のカラー３３が挿入してあり、セルフロッキング・ナット３１ｃの締め付け力によって、筒状部材３２が潰れないようにしてある。
【００３３】
また筒状部材３２が本体部材２の裏面に接する面には、開口穴３２ａを中心とした浅い座ぐり部３２ｂが設けてあり、この座ぐり部に、波型に形成したウエブスプリング・ワッシャ３９が挿入してある。すなわち回転抑制手段であるウエブスプリング・ワッシャ３９の押圧力によって、筒状部材３２とこれに接する本体部材２の裏面とは、このウエブスプリング・ワッシャを介して、常に一定の摩擦力が発生する。したがって押圧部材３は、一定以上の手動力を加えれば容易に回転すると共に、任意の回転角度において、多少の振動等が加わった場合にでも、その角度にこの押圧部材を保持することができる。
【００３４】
このため屋根５の傾斜角度を目測して、予め押圧部材３をその傾斜角度近くに設定しておけば、梯子４をこの屋根に立掛ける際の振動等によって、例えばこの押圧部材が垂直位置近くまで大きく回転することがないため、この屋根の上面５１に押圧部材の下面を、容易に接触させることができる。なお押圧部材３が大きく回転することを防止する手段としては、本体部材２の上下両端部に、それぞれ裏面方向に屈成したリム部２ｄを設けて、このリム部によって、押圧部材３が所定の角度以上に回転しないようにしてもよい。
【００３５】
押圧部材３の筒状部材３２の下面と裏面とには、合成ゴム材からなる滑り防止部材３４、３５が、それぞれ接着剤等で張り付けてある。なお滑り防止部材３４、３５は、平板形状でも足りるが、例えば図６に示す円弧形状のように、断面が外側に突出する形状にすることが望ましい。滑り防止部材３４、３５を、屋根５の上面５１や垂直な軒下面等に、それぞれ確実に接触させることができるからである。
【００３６】
図８〜図１０に、押圧部材等の他の実施の形態を示す。なお図１〜図７に示すものと同様の部品や部位については、参照を容易にするために、これらの図に示す部品番号に一律、図８及び図９については２００、図１０については３００を加えた部品番号にしてある。さて図８及び図９に示すように、押圧部材２０３は、アルミ板を直角に屈成したＬ字状部材２３２を有し、その下面の両端部分には、それぞれアルミ板製の押圧パット２３６が溶接してある。押圧パット２３６の下面と、この押圧パット及びＬ字状部材２３２の裏面とには、それぞれ合成ゴム材からなる滑り防止部材２３４、２３５が接着剤等で張り付けてある。またＬ字状部材２３２の中央には、開口穴２３２ａが設けてある。そして押圧部材２０３は、開口穴２３２ａに挿入した回転軸２３１によって、本体部材２０２の裏面に回転自在に取付けられる。
【００３７】
図１０に示す本体部材３０２には、回転軸３３１の左右に、それぞれ円弧溝３０２ｅが軸対称に開口している。また押圧部材３０３の本体部材３０２の裏面に接する側には、円柱状の突起部３３７が左右に２個設けてあり、これらがそれぞれ円弧溝３０２ｅに係合している。そして突起部３３７の先端には、それぞれセルフロッキング・ナット３３８が螺合しており、これらの突起部が円弧溝３０２ｅから外れないようにしてある。したがって押圧部材３０３に生じる左右、上下、及び前後方向の反力は、突起部３３７に分散し、回転軸３３１が受持つ荷重が低減するため、この回転軸が不用意に破損したりすることを防止できる。
【００３８】
次に図１１及び図１２を参照しつつ、他の実施の形態を説明する。なお図１〜図１０に示すものと同様の部品や部位については、参照を容易にするために、これらの図に示す部品番号に一律、４００を加えた部品番号にしてある。さて図１１に示すように、押圧部材４０３の両端部には、それぞれこの押圧部材の裏面から突出するフック部材４０６が着脱自在に設けてある。フック部材４０６は、図１２に示すように、ステンレス製の棒状部材からなるフック本体４６１と、このフック本体を、押圧部材４０３の両端部に着脱自在に取付けるための円筒状のカラー部材４６３と、蝶型ナット４６４とを備えている。
【００３９】
フック本体４６１は、押圧部材４０３の裏面から突出するように取付けられており、その先端部分４６３ｂを下方向にほぼ直角に曲げて、全体でＬ字形状になるように形成してある。フック本体４６１には、押圧部材４０３の裏面から突出する部分に、合成ゴムからなる弾性部材４６２を焼き付けてある。またフック本体４６１の弾性部材４６２で覆われていない部分は、雄ねじ４６１ａが形成してある。円筒状のカラー部材４６３は、押圧部材４０３の両端部に溶接結合された蓋部４６５に溶接結合されており、その先端部がこの押圧部材の裏面から、やや突出している。また円筒状のカラー部材４６３の根元付近には、フック本体４６１の雄ねじ４６１ａと螺合する雌ねじ４６３ａが形成してある。
【００４０】
フック部材４０６を押圧部材４０３に取付けるには、まずフック本体４６１の雄ねじ４６１ａに蝶型ナット４６４を取り付け、この雄ねじを円筒状のカラー部材４６３の雌ねじ４６３ａに螺合させる。そしてフック本体４６１の先端部分４６３ｂがほぼ下方向に向いた状態で、蝶型ナット４６４をカラー部材４６３の突出面に締め付けて、このフック本体をロッキングする。
【００４１】
このように回転自在の押圧部材４０３の両端部に、フック部材４０６を取付ければ、図１１及び図１２において２点鎖線で示した立木の枝等に、その傾斜度に合せて、容易にフック本体４６１を引っ掛けることができ、梯子４０４が、左右及び前後方位に滑ることを防止することができる。
【産業上の利用可能性】
【００４２】
本考案による梯子の滑り防止具及び滑り防止具付き梯子は、いずれも家屋の横側から、左右に傾斜する屋根に梯子を立掛ける場合に、この屋根の傾斜度の相違にかかわらず、この梯子が左右にすべって転倒することを防止できるため、梯子の製造や、これを使用する建築に関する産業等に広く利用可能である。
【図面の簡単な説明】
【００４３】
【図１】滑り防止具を装着した梯子を傾斜する屋根に立掛けた場合の正面図である。
【図２】滑り防止具を装着した梯子を傾斜する屋根に立掛けた場合の側面図である。
【図３】梯子滑り防止具の作用効果を示す説明図である。
【図４】梯子滑り防止具の一部水平断面図である。
【図５】他の梯子滑り防止具の一部水平断面図である。
【図６】梯子滑り防止具の一部縦断面図である。
【図７】梯子滑り防止具の背面図である。
【図８】他の押圧部材の背面図である。
【図９】他の押圧部材の側面図である。
【図１０】他の梯子滑り防止具の正面図である。
【図１１】他の梯子滑り防止具の背面図である。
【図１２】他の梯子滑り防止具の一部縦断面図である。
【符号の説明】
【００４４】
１                                    梯子滑り防止具
２、１０２、２０２、３０２、４０２    本体部材
２１、１２１                          係止手段
３、２０３、３０３、４０３            押圧部材
３１、２３１、３３１、４３１          回転軸
３４、２３４                          滑り防止部材
３５、２３５                          滑り防止部材
３９                                  ウエブスプリング・ワッシャ（回転抑制手段）
４、１０４、３０４、４０４            梯子
４１、１４１、３４１、４４１          脚
４０６                                フック部材
４６１                                フック本体
４６２                                弾性部材
５                                    屋根
５１                                  屋根の上面（被押圧面）
【図１】
0003121473.tif 000003
【図２】
0003121473.tif 000004
【図３】
0003121473.tif 000005
【図４】
0003121473.tif 000006
【図５】
0003121473.tif 000007
【図６】
0003121473.tif 000008
【図７】
0003121473.tif 000009
【図８】
0003121473.tif 000010
【図９】
0003121473.tif 000011
【図１０】
0003121473.tif 000012
【図１１】
0003121473.tif 000013
【図１２】
0003121473.tif 000014